(57)【要約】  充電及び／又は交換が必要となるまでにバッテリが使用され得る時間を示すディスプレイを有するバッテリ。時間は分単位で表示され得る。バッテリを交換すべきかどうかを示す寿命末期インジケータもバッテリ上に設けられ得る。バッテリは、環境条件及び／又は使用に基づいて時間及び寿命末期の指示を決定することができる。バッテリは、環境条件を測定し及び／又はモニタするためのセンサ、並びに全地球測位システム（ＧＰＳ）トランスポンダを含むことができる。バッテリは、中心位置、指定の位置、及び／又は予め選択された位置にデータを伝送するための通信リンクも含むことができ、データは、充電及び／又は交換が必要となるまでにバッテリが使用され得る時間を含み得る。バッテリは、装置に給電するように結合され、構成され得る。特段の利点は医療装置、とりわけ一般に幅広いエンドユーザ使用モデル及び環境条件にさらされる除細動器及び他の二次救命装置で実現され得る。
2016527984.tif 000002
【特許請求の範囲】
【請求項１】
充電又は交換の少なくとも一方が必要となるまでに、バッテリが使用され得る時間を示すディスプレイ
を含む、バッテリ。
【請求項２】
前記時間が分単位で表示される、請求項１に記載のバッテリ。
【請求項３】
前記ディスプレイは、前記バッテリを交換すべきかどうかを示す寿命末期インジケータを提供する、請求項１に記載のバッテリ。
【請求項４】
前記バッテリが、環境条件又は使用の少なくとも一方に基づいて前記時間と寿命末期の指示とを決定する、請求項１に記載のバッテリ。
【請求項５】
環境条件の測定又はモニタの、少なくとも一方のためのセンサを更に含む、請求項４に記載のバッテリ。
【請求項６】
全地球測位システムトランスポンダを更に含む、請求項１に記載のバッテリ。
【請求項７】
中心位置、指定の位置、又は予め選択された位置の少なくとも１つにデータを伝送するための通信リンクを更に含む、請求項１に記載のバッテリ。
【請求項８】
前記データは、充電又は交換の少なくとも一方が必要となるまでに、前記バッテリが使用され得る前記時間を含む、請求項７に記載のバッテリ。
【請求項９】
装置と、
前記装置に結合され前記装置に給電するバッテリと
を含むシステムであって、
前記バッテリは、充電又は交換の少なくとも一方が必要となるまでに、前記バッテリが前記装置の給電に使用され得る時間を示すディスプレイを含む、システム。
【請求項１０】
前記ディスプレイが前記時間を分単位で表示する、請求項９に記載のシステム。
【請求項１１】
前記ディスプレイが寿命末期状態を表示する、請求項９に記載のシステム。
【請求項１２】
前記ディスプレイは、前記バッテリの交換が必要になるまでの残りの充電サイクル数として前記寿命末期状態を表示する、請求項１１に記載のシステム。
【請求項１３】
前記ディスプレイは、前記バッテリを交換すべきという指示として前記寿命末期状態を表示する、請求項１１に記載のシステム。
【請求項１４】
前記バッテリが、環境条件又は使用の少なくとも一方に基づいて前記時間を決定する、請求項９に記載のシステム。
【請求項１５】
前記バッテリが、使用の測定又はモニタの少なくとも一方を行う、請求項１４に記載のシステム。
【請求項１６】
中心位置、指定の位置、又は予め選択された位置の少なくとも１つにデータを伝送するための通信リンクを更に含む、請求項９に記載のシステム。
【請求項１７】
前記通信リンクが前記バッテリに直接結合される、請求項１６に記載のシステム。
【請求項１８】
前記通信リンクが、無線又はクラウドの少なくとも一方を介して通信する、請求項１７に記載のシステム。
【請求項１９】
前記装置が除細動器である、請求項１８に記載のシステム。
【請求項２０】
バッテリの環境条件又は使用の少なくとも一方をモニタするステップと、
（ｉ）前記バッテリの充電又は交換が必要になるまでの残り時間、又は（ｉｉ）前記バッテリの寿命末期状態の少なくとも一方を決定するステップと、
前記バッテリのディスプレイ上に前記残り時間又は前記寿命末期状態の少なくとも一方を表示するステップと
を含む、方法。
【発明の詳細な説明】
【技術分野】
【０００１】
本発明は、例えば除細動器やモニタを含む医療装置内で／医療装置と共に使用され得るようなバッテリに関し、より詳細には、バッテリ／装置の管理及び信頼性を向上させるための環境条件及び／又は使用データに基づく新規及び発明的な自動化されたバッテリ指示及びフィードバックシステムに関する。
【背景技術】
【０００２】
バッテリは、医療装置に関する病院医療環境、自宅医療環境、及び遠隔医療環境においてますます不可欠な部分になっている。今日、ほぼ全ての医療製品が電源用の一次バッテリ、及び／又は装置のコンセントが抜けた時や装置が電源喪失に遭う時の緊急電源用のバックアップバッテリを有する。バッテリに依存する医療装置の増加に従い、医療環境内には多くの異なるバッテリの種類、実行時間、化学的性質、大きさ、形状、電圧、容量、及び様々な予防保全プロセスが存在する。この事が、バッテリの充電状態及びバッテリの交換時期を複雑にし、混乱に繋がることが多々ある。
【０００３】
現在バッテリは、製品使用の充電状態、例えば「分や時間を単位とする」、に関して普遍的に明確な指示を与える能力を本質的に欠いている。今日、一部のバッテリは充電されたパーセンテージを示すＬＥＤ「ガスゲージ」を設けている場合がある。例えば、５個のＬＥＤが充電のパーセンテージを約２０％の増分で示すことができる。これは役立つように思われるが、とりわけ多くの異なる製品及びバッテリが病院等の場所において使用され及び／又は管理されている場合、ＬＥＤ、更には時間のパーセンテージが何を意味するのかが明確にならない場合がある。とりわけ複数のバッテリ給電製品及びバッテリを管理せねばならない場合、これは停電又は電源断において混乱を増加させかねない。
【０００４】
また、現在、バッテリ自体が、例えば使用及び／又は環境条件に基づいてバッテリを破棄／交換すべき時期を利用者が知り、それによりバッテリ障害の費用及びリスクを減らすことができるように、寿命末期状態を示す能力も欠いている。医療装置の殆どの製造業者は、利用者がバッテリを交換せねばならないバッテリ寿命を使用及び環境条件とは無関係に時間だけに基づいて定める（例えば典型的には２、３年）。これにより追跡、モニタリング、検査が一般的に必要となり、概して費用がかかるようになる。バッテリの交換が早すぎると長期的な運転費が高くなる。バッテリの交換が遅すぎると患者の安全が問題となり得る。
【０００５】
更にバッテリは、例えば低バッテリ状態（例えば装置のコンセントが外れていることや未充電であることを示すことを含む）、バッテリ故障、及び／又はバッテリの寿命末期状態をコールセンタや病院の生物医学部門に知らせる能力も欠いており、ましてや自らの位置を突き止めて伝えることなどできない。例えば典型的な病院は、病院、自宅、及び遠隔地の全域に分散され得る数百の異なる機器及び数千の異なるバッテリを有し得る。「バッテリの具合」を正確、適時、及び効率的にモニタする能力を有することはバッテリのモニタリング及び保全を可能にし、緊急バックアップ電源の必要時に備えることを可能にし得る。
【発明の概要】
【発明が解決しようとする課題】
【０００６】
従って、バッテリをより正確、適時、及び効率的にモニタリングし、とりわけ様々な位置に多数のバッテリを有する利用者／エンティティのために、バッテリの管理及びサービス（例えば充電や破棄／交換）の向上を可能にする必要がある。
【課題を解決するための手段】
【０００７】
例えば本明細書で開示され説明されるのは、本発明の例示的実施形態であり、かかる例示的実施形態は上記の需要及び関連する課題を克服するために一緒に又は別々に使用され得ることを本明細書の教示に照らして当業者なら理解されよう。
【０００８】
本発明の例示的実施形態によれば、充電及び／又は交換の必要があるまでバッテリが使用され得る時間を示すディスプレイを有するバッテリが提供される。時間は分単位で表示され得る。ディスプレイは、バッテリを交換すべきかどうかを示す寿命末期インジケータを提供することができる。バッテリは、環境条件及び／又は使用に基づいて時間と寿命末期の指示とを決定することができる。
【０００９】
例示的バッテリは、環境条件を測定及び／又はモニタするためのセンサも含み得る。バッテリが全地球測位システム（ＧＰＳ）トランスポンダを含むこともあり得る。更に例示的バッテリは、中心位置、指定の位置、及び／又は予め選択された位置にデータを伝送するための通信リンクを含み得る。データは、例えば充電及び／又は交換が必要になるまでバッテリが使用され得る時間を含み得る。
【００１０】
本発明の別の例示的実施形態によれば、装置と、装置に結合され装置に給電するように構成されるバッテリとを含むシステムが提供される。バッテリは、充電又は交換の必要があるまでバッテリが装置の給電に使用され得る時間を示すディスプレイを含む。ディスプレイは、時間を分単位で表示するように構成され得る。
【００１１】
ディスプレイが寿命末期状態を表示するように構成されることもあり得る。寿命末期状態とは、バッテリの交換が必要になるまでの、残りの充電サイクル数であり得る。更にディスプレイは、バッテリを交換すべきという指示として寿命末期状態を表示するように構築され、構成され得る。バッテリは、環境条件及び／又は使用に基づいて時間を決定することができる。更に、バッテリは環境条件を測定及び／又はモニタするためのセンサを含み得る。バッテリが使用を測定及び／又はモニタするように構築され、構成されることもあり得る。
【００１２】
例示的システムは、中心位置、指定の位置、及び／又は予め選択された位置にデータを伝送するための通信リンクを更に含み得る。通信リンクはバッテリに直接結合され得る。通信リンクは、無線で及び／又はクラウドを介して通信するように構築され、構成されても良い。
【００１３】
本発明の例示的実施形態によれば、装置は除細動器及び／又はモニタであり得る。
【００１４】
本発明の更に別の例示的実施形態によれば、バッテリの環境条件及び／又は使用をモニタするステップと、バッテリの充電又は交換が必要になるまでの残り時間、及び／又はバッテリの寿命末期状態を決定するステップと、バッテリのディスプレイ上に残り時間及び／又は寿命末期状態を表示するステップとを含む、方法が提供される。
【００１５】
本発明の様々な例示的実施形態についての以下の詳細な説明を添付図面と併せて読むことにより、本発明の上記の形態及び他の形態並びに本発明の様々な特徴及び利点が更に明らかになる。本明細書及び図面に記載の例示的実施形態は、添付の特許請求の範囲及びその均等物によって定められる本発明の範囲を限定するのではなく本発明の例示に過ぎない。
【図面の簡単な説明】
【００１６】
【図１】本発明によるバッテリの例示的実施形態を示す。
【図２】機能ブロック図として表わされる、本発明によるシステムの例示的実施形態を示す。
【図３】本発明による方法の例示的実施形態の流れ図を示す。
【図４】本発明による装置の例示的実施形態の解説図である。
【発明を実施するための形態】
【００１７】
本発明の理解を更に助けるために、本発明の例示的実施形態が添付図面に関して本明細書で更に説明される。
【００１８】
バッテリは、充電されたパーセンテージを示すＬＥＤ「ガスゲージ」を備え得る。例えば、５個のＬＥＤが充電のパーセンテージを２０％の増分で示すことができる。これは役立つように思われるが、とりわけ多くの異なる製品及びバッテリが病院等の場所において使用される場合、ＬＥＤ、更には時間のパーセンテージが意味する物が何なのか明確にならない場合がある。とりわけ複数のバッテリ給電製品の管理が必要な場合、停電又は電源断においてこのことは混乱を増加させ得る。
【００１９】
本発明の例示的実施形態によれば、（例えば装置に接続された状態で及び／又は接続されていない状態で）装置が使用され得る正確な（又は推定された）分を示すバッテリ上のディスプレイ又は表示器。実行時間の分は装置（例えばコンピュータ）自体の上で使用／表示されてきた可能性があるが、実行時間の分がバッテリ自体の上で表示されたことはこれまで一度もないと考えられる。更に、実行時間の正確な（又は妥当な精度で推定された）分が、正確な電源管理が極めて重要であり得る緊急事態にピーク電力需要を有し得る医療装置、とりわけ除細動器上でこれまでに使用／表示されたことは一度もないと考えられる。
【００２０】
例えば、本発明の特定の例示的実施形態によれば、例えば製品使用の「分や時間を単位とする」充電状態に関する普遍的に明確な指示をバッテリ自体が与える。図１に示されているように、例えば例示的バッテリ１０１はディスプレイ１０３を含むハウジング１０２を有する。図１がディスプレイ１０３の拡大図（図１の右側）の中で更に示すように、バッテリ自体が時間１０４及び分１０５を単位とする接続装置の実行時間インジケータを有し得る。
【００２１】
本発明の別の（例えば本明細書に記載の第１の例示的実施形態と組み合わせて使用され得る）例示的実施形態では、例えば使用及び／又は環境条件に基づいてバッテリを破棄／交換すべき時を利用者が知ることができるように、バッテリ自体が寿命末期状態を示す。このことは（例えばまだ使えるバッテリを時期尚早に破棄しないことにより）費用の削減を助ける。このことは（例えば、使用、環境条件、及び／又は時間等に基づいてバッテリを破棄すべき場合に、時間だけに基づいてバッテリを使用しないことにより）バッテリが故障するリスクを減らすのも助ける。
【００２２】
医療装置の製造業者は、利用者がバッテリ交換をする必要があるバッテリ寿命を使用及び環境条件とは無関係に時間だけに基づいて一般に定める（典型的には２、３年）。このことは追跡、モニタリング、検査を一般に必要とし、概して費用がかかるようになる。バッテリの交換が早すぎると長期的な運転費が高くなる。バッテリの交換が遅すぎると患者の安全性が問題となり得る。しかしバッテリの寿命は、老化、充電／放電サイクル数、気温や湿度等の環境条件等、幾つかの要因に依存する。
【００２３】
本発明の特定の例示的実施形態によれば、かかる要因（例えば環境条件、老化、使用モデル）を測定し、追跡し、及び／又は記録して正確な（又は妥当に正確な）寿命末期の指示をバッテリ上で利用者に与えるための技術及びセンサがバッテリに組み込まれる。例えば利用者がバッテリを酷使し、及び／又はバッテリを厳しい及び／又はきつい条件の中で使用する場合／時、バッテリは破棄／別のバッテリ（例えば新品バッテリ、再生バッテリ、又はまだ使える中古バッテリ）との交換をより多く／頻繁に利用者に促し、バッテリが突然故障するリスクを減らす／なくす。バッテリに関してより慎重な利用者は、バッテリの破棄／交換を促されるまで概してより長い時間を有し、その結果、長期的な交換費用／所有費を減らす。
【００２４】
更に、本発明の特定の例示的実施形態によれば、バッテリ上に設けられるのは以下を示す３色ＬＥＤ及び／又はテキストディスプレイでも良く、例えば：
−緑色  残量＞８０％。
−黄色  残量＜２０％。近いうちに交換されたい。
−赤色  残量＜１０％。直ちに交換されたい。
これらの色変化は、例えばバッテリの老化、充電／放電サイクル数、使用気温及び／又は他の環境上の入力に基づき得る。
【００２５】
再び図１を参照し、例えば例示的バッテリ１１１は、バッテリ寿命末期インジケータ１１３を含むハウジング１１２を有する。バッテリ寿命末期インジケータ１１３の拡大図（図１の右側）の中に示されているように、インジケータ１１３は、バッテリ寿命に関する指示を与える３個の有色光源（例えばＬＥＤ）を有し得る。一番上のＬＥＤ１１４は赤色で照らすことができ、バッテリの交換が直ちに必要なことを示す。真ん中のＬＥＤは黄色で照らすことができ、バッテリの寿命末期が近いことを示す。一番下のＬＥＤは緑色で照らすことができ、バッテリが良い状態にあることを示す。
【００２６】
本発明の更に別の（例えば本明細書に記載の第１の及び／又は第２の例示的実施形態と組み合わせて使用され得る）例示的実施形態では、バッテリ自体が例えば低バッテリ状態（例えば装置のコンセントが外れていることやバッテリが未充電であることを示すことを含む）、バッテリ故障、及び／又はバッテリの寿命末期状態をＧＰＳ位置と共に、コールセンタや病院の生物医学部門に知らせる能力を有する。
【００２７】
本発明の特定の例示的実施形態によれば、遠隔地にいる利用者／管理者にバッテリ／装置のＧＰＳ位置と共に（例えば本明細書に記載の第１の及び／又は第２の例示的実施形態に従ってバッテリによって検出される）低バッテリ指示、バッテリ故障、及び寿命末期状態を知らせ／警告するために、バッテリ／装置自体に無線通信技術及び／又はクラウドテクノロジが組み込まれる。例えば典型的な病院は、病院、緊急車両（例えば救急車）、自宅、及び／又は他の遠隔地の全域に分散され得る数百の異なる機器及び数千の異なるバッテリを有し得る。しかし、本明細書で示される教示に照らして当業者なら理解されるように、この例示的実施形態は間違いなく病院環境に限定されない。例えばこの例示的実施形態は、複数の（医療）装置及び／又はバッテリを有し得る如何なる施設にも適用され得る（例えば診療所、医療研究所、外科センタ、クリニック、空港、飛行機、クルーズ船、電車、オフィスビル、政府の建物、公共の建物、学校等）。バッテリは、例えば装置／バッテリの所有者／運転者及び／又は製造業者／供給業者の１つ又は複数の（現場及び／又は現場外の、物理的及び／又は仮想的な）所定位置に指示等を伝え／知らせるようにプログラム／構成され得る。
【００２８】
再び図１を参照し、例示的バッテリ１２１は、無線通信技術及び／又はクラウドテクノロジ１２３を含むハウジング１２２を有する。無線通信技術及び／又はクラウドテクノロジ１２３は、無線信号１２５を伝送するための送信機／トランシーバ／トランスポンダ１２４を含み得る。本発明の例示的実施形態によれば、バッテリ自体が、例えば低バッテリ状態、装置のコンセントが外れていること、バッテリが未充電であること、バッテリ故障、寿命末期状態、及びＧＰＳ位置をコールセンタや病院の生物医学部門に知らせる。
【００２９】
「バッテリの具合」をモニタする能力を有することは、バッテリのモニタリング及び保全を可能にし、緊急バックアップ電源が必要とされる時に備えるのに極めて重要な部分であり得る。本発明の例示的実施形態が極めて有用／有益であり得る（及び（ことによると）人命を救い得る）方法の一例は、バッテリ残量が製品の動作に重要であり更には不可欠であり得る公共、民間、及び軍隊の使用／環境を含む除細動器の応用例、例えば二次救命処置、一次救命処置、自動式体外式除細動器（ＡＥＤ）、入院前、入院中、病院外にある。バッテリが機能し、分かっている充電状態及び残量が正確であり、バッテリが使用され得る緊急時の前に問題が検出されることが極めて重要であり得る。
【００３０】
例えば、除細動器や他の二次救命装置は、一般に幅広いエンドユーザ使用モデル及び環境条件にさらされ、かかる使用モデル及び環境条件は（製品が固定され、十分に管理された環境内にある）単純な／比較的安定した病院環境から（製品が大いに移動し、過酷な環境条件にさらされることが多い）ＥＭＳ／消防車／戦場に及び得る。
【００３１】
上記のように、この幅広い使用モデル及び製品位置が原因で、バッテリを管理し、大きいサンプル数及び環境条件をモニタし、故障を防ぐための正確な予測モデルを編み出すことが困難であり得る。更に、例えば除細動器や他の二次救命装置の極めて重要であることが多々ある性質により、患者への救命救急診療を妨げないように非侵襲的にこのデータを集めることが必須であり得る。
【００３２】
本発明の例示的実施形態によれば、個々のバッテリ／製品／装置、及び／又はその全体にわたる予測的故障モデルを編み出すことを可能にするために、及びバッテリ問題の実時間警告を与えるために、実時間又はほぼ実時間の環境データを含むデータが（例えば無線で及び／又はクラウドによって）遠隔的に集められ、記憶され及び／又は伝送されても良く、それにより、カスタマイズされた予防保全フィードバックがエンドユーザ、製造業者、供給業者等に与えられ得る。
【００３３】
例えば図２は、本発明の特定の例示的実施形態によるシステム２００を示す。バッテリシステム及び環境データが集められ、通信リンク２１５及び２２５を介してローカルサイト２３０（例えば病院）及びリモートサイト２１０（例えば自宅）からクラウド２２０に送られる。データは、通信リンク２３５を介してクラウド２２０から例えば装置及び／又はバッテリ製造業者の品質モニタリング及びエンジニアリンググループ２５０に送られても良い。コールセンタ２４０及び病院の生物医学部門２６０が、例えば低バッテリ状態、装置のコンセントが外れていること、バッテリが未充電であること、バッテリ故障、寿命末期状態、及びＧＰＳ位置の通知を通信リンク２４５及び２５５を介して受け取る。
【００３４】
図３は、本発明による方法３００の例示的実施形態の流れ図を示す。図３に示されているように、この例示的方法は、ステップ３１０でバッテリの環境条件及び／又は使用をモニタすることを含む。ステップ３２０で、この例示的方法は、バッテリの充電又は交換が必要になるまでの残り時間、及び／又はバッテリの寿命末期状態を決定することを含む。更にステップ３３０で、この例示的方法は、残り時間及び／又は寿命末期状態をバッテリのディスプレイ上に表示することを含む。
【００３５】
図４は、本発明による装置の例示的実施形態の解説図である。図４に示されているように、例示的装置４００は体外除細動器であり得る。この例では、及び説明目的で、装置４００が、装置４００の側面に結合されるディスプレイ４１１を有するバッテリ４１０と共に示されている。但し、バッテリが装置のハウジング内にしばしば組み込まれ、装置の背面又は底面からアクセスできることを当業者なら理解されよう。従って本発明の例示的実施形態によれば、本明細書で開示され説明されるようにバッテリのディスプレイ上に表示されるバッテリ情報が、装置のメインディスプレイ４０１上に表示されても良い。
【００３６】
本発明は主に医療装置、とりわけ（例えば病院職員によって使用される）入院中の除細動器／モニタや、（例えばＥＭＳスタッフによって使用される）入院前の除細動器／モニタ等、除細動器／モニタに関して主に説明されてきたが、本発明の例示的実施形態が、これだけに限定されないが、患者モニタ（例えばＥＣＧモニタ）、自動式体外式除細動器（ＡＥＤ）、及び／又は他の除細動器を含む他の医療装置によって実装され得ることを本明細書に示される教示に照らして当業者なら理解されよう。更に、例えば特定のバッテリ給電（バックアップ）式の通信、ナビゲーション、及び／又は推進機器の場合に該当し得るように、とりわけバッテリの保全及び信頼性が特に重要であり得る任意の応用例を含む非医療（装置）用途におけるバッテリ／装置と共に本発明の例示的実施形態が使用され得ることを本明細書に示される教示に照らして当業者なら理解されよう。実際に、それらの他の種類の製品内で／それらの他の種類の製品と共に使用され得るバッテリによって実装される本発明の例示的実施形態が具体的に考えられ、本発明の範囲に含まれると見なされる。
【００３７】
更に、本明細書に示される教示に照らして当業者なら理解されるように、本開示／本明細書内で説明され、及び／又は添付図面内に示されている特徴、要素、構成要素等は、ハードウェア及びソフトウェアの様々な組合せによって実装され、単一の要素又は複数の要素に組み込まれ得る機能を提供することができる。例えば、図中に示され／描かれ／描写される様々な特徴、要素、構成要素等の機能は専用ハードウェア、並びに適切なソフトウェアに関連してソフトウェアを実行可能なハードウェアを使用することによって提供され得る。プロセッサによって提供される場合、これらの機能は単一の専用プロセッサによって、単一の共用プロセッサによって、又はその一部が共用され及び／又は多重化されても良い複数の個々のプロセッサによって提供され得る。更に、「プロセッサ」又は「コントローラ」という用語を明示的に使用することは、ソフトウェアを実行可能なハードウェアを排他的に指すものと解釈されるべきではなく、デジタル信号プロセッサ（「ＤＳＰ」）ハードウェア、メモリ（例えばソフトウェアを記憶するための読取専用メモリ（「ＲＯＭ」）、ランダムアクセスメモリ（「ＲＡＭ」）、不揮発性記憶域等）、及びプロセスを実行し及び／又は制御することができる（及び／又はそのように構成可能な）事実上如何なる手段及び／又は機械（ハードウェア、ソフトウェア、ファームウェア、その組合せ等を含む）も制限なく暗に含み得る。
【００３８】
更に、本発明の原理、態様、及び例示的実施形態、並びに本発明の具体例を列挙する本明細書の全ての表現は、それらの構造上の均等物及び機能上の均等物の両方を包含することを意図する。加えて、かかる均等物は、現在知られている均等物だけでなく将来開発される均等物（例えば構造に関係なく同じ又はほぼ同様の機能を実行し得る、開発される任意の要素）の両方を含むことを意図する。従って、例えば本明細書で示されている任意のブロック図が、本発明の原理を具体化する例示的システム構成要素及び／又は回路の概念ビューを表し得ることが本明細書に示される教示に照らして当業者によって理解される。同様に、如何なる流れ図、流れ作業図等も様々なプロセスを表すことができ、かかるプロセスはコンピュータ可読記憶媒体内で事実上表され、コンピュータ、プロセッサ、又は処理能力を有する他の装置によって、かかるコンピュータ又はプロセッサが明示的に示されていようがいまいが、そのように実行され得ることを本明細書に示される教示に照らして当業者なら理解されよう。
【００３９】
更に、本発明の一部の例示的実施形態は、例えばコンピュータ又は任意の命令実行システムによって使用するための、又はそれらに関連して使用するためのプログラムコード及び／又は命令を提供するコンピュータ使用可能記憶媒体及び／又はコンピュータ可読記憶媒体からアクセス可能なコンピュータプログラム製品の形を取ることができる。本開示によれば、コンピュータ使用可能記憶媒体又はコンピュータ可読記憶媒体は、例えば命令実行システム、機器、又は装置によって使用するための、又はそれらに関連して使用するためのプログラムを含み、記憶し、伝達し、伝搬し、又は搬送することができる任意の機器であり得る。かかる例示的媒体は、例えば電子的、磁気的、光学的、電磁的、赤外、又は半導体のシステム（又は機器又は装置）又は伝搬媒体であり得る。コンピュータ可読媒体の例は、例えば半導体メモリや固体メモリ、磁気テープ、着脱可能なコンピュータディスケット、ランダムアクセスメモリ（ＲＡＭ）、読取専用メモリ（ＲＯＭ）、フラッシュ（ドライブ）、磁気ハードディスク、及び光ディスクを含む。光ディスクの現在の例は、コンパクトディスク−読取専用メモリ（ＣＤ−ＲＯＭ）、コンパクトディスク−リード／ライト（ＣＤ−Ｒ／Ｗ）、及びＤＶＤを含む。更に、今後開発され得る新たな任意のコンピュータ可読媒体も、本発明及び本開示の例示的実施形態に従って使用され、又は言及され得るコンピュータ可読媒体と見なされるべきことが理解されるべきである。
【００４０】
バッテリ／装置の管理及び信頼性を向上させるための環境条件及び使用データに基づく自動化されたバッテリ指示及びフィードバックシステムの好ましい実施形態及び例示的実施形態（限定的ではなく例示的であることを意図する）について説明してきたが、添付図面及び特許請求の範囲を含む本明細書に示した教示に照らして修正及び改変が当業者によって行われても良いことを指摘しておく。従って、本開示の好ましい実施形態及び例示的実施形態の中で／それらの実施形態に対して変更が加えられても良く、それらも本発明の範囲及び本明細書で開示され記載された例示的実施形態に含まれることを理解すべきである。
【００４１】
更に、本装置を組み込み及び／又は実装する、又は本開示による装置の中で使用され／実装され得るような対応する及び／又は関係するシステムも本発明の範囲に含まれると考えられ、見なされると考えられる。更に、本開示による装置及び／又はシステムを製造し及び／又は使用する対応する方法、及び／又は関係する方法も本発明の範囲に含まれると考えられ、見なされる。
【図１】
2016527984.tif 000003
【図４】
2016527984.tif 000004
【図２】
2016527984.tif 000005
【図３】
2016527984.tif 000006
【国際調査報告】
2016527984.tif 000007
2016527984.tif 000008
2016527984.tif 000009